(57)【要約】【課題】 ソーラーエレメントの高効率で価格的に有利な組み立てを可能とする、板状ソーラーエレメントに対応するためのフレームの提供。【解決手段】  この課題は、第一の面（２４）を持つフレーム下部エレメント（２１）及び好ましくは第二の面（１４）を持つフレーム上部エレメント（１１）を含む板状ソーラーエレメントのためのフレームにおいて、該第二の面（１４）が該第一の面（２４）と対峙しておりそして板状ソーラーエレメント（３１）の末端領域に対応し得る空隙を該第一の面からの空間に形成しており、そのとき第一の面と第二の面はそれぞれ粘着性にされていることを特徴とする、上記フレームによって解決される。【選択図】  図１ｃ
2010016385.tif 000002
【特許請求の範囲】
【請求項１】
第一の面（２４）を持つフレーム下部エレメント（２１）及び好ましくは第二の面（１４）を持つフレーム上部エレメント（１１）を含む板状ソーラーエレメントのためのフレームにおいて、該第二の面（１４）が該第一の面（２４）と対峙しておりそして板状ソーラーエレメント（３１）の末端領域に対応し得る空隙を該第一の面からの空間に形成しており、そのとき第一の面と第二の面はそれぞれ粘着性にされていることを特徴とする、上記フレーム。
【請求項２】
前記第一の面（２４）が第一の接着テープ（２３）を備えておりそして前記第二の面（１４）が第二の接着テープ（１３）を備えている、請求項１に記載のフレーム。
【請求項３】
前記第一の接着テープ（２３）が、第一の面（２４）と接触している内側接着剤層とフレーム上部エレメント（１１）の第二の面に隣接する外側接着剤層とを有する両面接着テープである、請求項２に記載のフレーム。
【請求項４】
前記第二の接着テープ（１３）が、第二の面（１４）と接触している内側接着剤層とフレーム下部エレメント（２１）の第一の面に隣接する外側接着剤層とを有する両面接着テープである、請求項２又は３に記載のフレーム。
【請求項５】
板状ソーラーエレメント（１１）がフレームに嵌め込まれているとき、該板状ソーラーエレメント（１１）の下側がそれの縁部領域で、第一の接着テープ（２３）の接着層と接触しておりそしてソーラーモジュール（１１）の上側がその縁部領域で第二の接着テープ（１３）の接着剤層接触している、請求項１〜４いずれか一つに記載のフレーム。
【請求項６】
フレーム下部エレメント（２１）が板状ソーラーエレメントのための合端部（２７）を有し、該合端部が、第一の面（２４）から第二の面（１４）の方向に伸びておりそして第一の面（２４）と第二の面（１４）との間に形成されている間隙について外方向に境をなしている、請求項１〜５のいずれか一つに記載のフレーム。
【請求項７】
フレーム下部エレメント（２１）が、フレームの外側にありかつ第一の面（２４）に対して直角となるように形成されている陥凹部（２６）を有しており、そしてフレーム上部エレメント（１１）が前記陥凹部（２６）中に押し込み、嵌合固定又は摩擦固定連結することができる脚部（１５）を持ち、その際に該脚部（１５）がフレーム上部エレメント（１１）の第二の面（１４）に対して直角に形成されておりそしてそこからフレーム下部エレメント（２１）の方向に伸びている、請求項１〜６のいずれか一つに記載のフレーム。
【請求項８】
フレーム下部エレメント（２１）が各部分エレメントで構成されており、該部分エレメントが連結エレメントによって互いに連結されているプロフィールエレメントである、請求項１〜７のいずれか一つに記載のフレーム。
【請求項９】
フレーム上部エレメント（１１）が部分エレメント（１１ａ、１１ｂ、１１ｃ、１１ｄ）で構成されており、該部分エレメント（１１ａ、１１ｂ、１１ｃ、１１ｄ）が連結エレメントによって互いに連結されているプロフィールエレメントである、請求項１〜８のいずれか一つに記載のフレーム。
【請求項１０】
部分エレメントがそれぞれ、連結エレメントが挿入される中空スペース（１６、２５）を有する、請求項８又は９に記載のフレーム。
【請求項１１】
フレーム下部エレメント（２１）とフレーム上部エレメント（１１）との間に排水溝が形成されており、該排水溝の下側は溝によって形成されており、該溝はフレーム下部エレメント（２１）の第一の面（２４）の、粘着性にされてない領域に形成されており、そしてフレーム外側端部の方向の粘着加工部から間隔がある請求項１〜１０のいずれか一つに記載のフレーム。
【請求項１２】
フレーム下部エレメント（２１）中に及び／又はフレーム上部エレメント（１１）中に排水穴が形成されている請求項１〜１１のいずれか一つに記載のフレーム。
【請求項１３】
請求項１〜１２のいずれか一つに記載のフレームをソーラーモジュールの製造に用いる方法。
【請求項１４】
最初に板状ソーラーエレメント（１１）の下側をそれの縁部領域でフレーム下部エレメント（２１）の第一の面（２４）の上に置き、そのとき第一の接着テープ（２３）によってフレーム下部エレメント（２１）とソーラーエレメント（３１）との間で接合され、そして次にフレーム上部エレメント（１１）を、板状ソーラーエレメント（１３）の上側にその縁部領域で、フレーム上部エレメント（１１）の第二の面（１４）と板状ソーラーエレメント（３１）との間に第二の接着テープ（１３）によって接合を生じさせるように載せる、請求項１３に記載の方法。
【発明の詳細な説明】
【技術分野】
【０００１】
本発明は板状ソーラーエレメントのためのフレーム及びこの種のフレームをソーラーモジュールを製造するために用いることに関する。
【背景技術】
【０００２】
ソーラーモジュールは、平面に配置されそして合成樹脂フィルム中に埋めこまれている沢山の太陽電池を一般に有するフレームで構成されている。合成樹脂フィルムは一般にガラス板で覆われておりそして一般に同様に合成樹脂より成る裏側積層物を有している。時にはフレームの無いソーラーモジュール又は積層体とも称されソーラーエレメントは、ソーラーエレメントの補強を実現するフレームによって取り囲まれており、該フレームはソーラーエレメント、特にガラス板を搬送の間、保護しそしてソーラーエレメントを構造物に固定することを可能とする。フレームに嵌められたソーラーエレメントは一般にソーラーモジュールと称される。
【０００３】
従来技術によればワンピースのフレームが一般に使用される。このようなフレームはソーラーエレメントの外側縁部を側面に沿って押し付けられている。ソーラーモジュールの該縁部は手で貼り付けられている。このやり方は余り効率的でない。
【０００４】
さらに、ソーラーエレメントが上に載せられるフレーム下部エレメントを含むツーピースフレームも公知である。実際の該フレームは、フレーム上部エレメントをフレーム下部エレメント中に押し込み摩擦又は嵌合固定連結（positive-locking connection）することによって得られる。その際にフレーム下部エレメントとフレーム上部エレメントとの間に空隙が形成され、それにソーラーエレメントの縁部領域が差し込まれる。
【０００５】
ドイツ実用新案登録第２０２０９２１８  Ｕ１号明細書には、フレームのないソーラーモジュールのためのツーピースフレームであって、フレーム下部エレメントがソーラーモジュールを上に載せる面を持つ、前記フレームが開示されている。さらにフレーム下部エレメント中には細長い溝があり、その溝の中に角の尖ったフレーム頂部部分が挿入されており、それによって両方のフレームエレメントの間に嵌合固定又は摩擦固定連結が得られる。フレーム中にソラーモジュールを差し込む前にソーラーモジュールの縁部領域を弾性材料、例えばパッキン材料中に包み込み、該弾性材料は組み立て後にフレームとソーラモジュールとの間に配置される。しかしながらこのようなフレームの製作及びパッキング材料の適用は多大な費用を要する。
【発明の開示】
【発明が解決しようとする課題】
【０００６】
本発明の課題は、従来技術の欠点を排除することである。特にソーラーエレメントの高効率で価格的に有利な組み立てを可能とする、板状ソーラーエレメントに対応するためのフレームを提供することである。
【課題を解決するための手段】
【０００７】
本発明の課題は請求項１及び１３に記載の特徴事項によって解決される。本発明の有利な実施形態は請求項２〜１２及び１４の特徴事項から明らかである。
【０００８】
本発明によれば、第一の面を持つフレーム下部エレメント及び好ましくは第二の面を持つフレーム上部エレメントを含む板状ソーラーエレメントのためのフレームにおいて、該第二の面が該第一の面と対峙しておりそして板状ソーラーエレメントの末端領域に対応し得る空隙を該第一の面からの空間に形成しており、そのとき第一の面と第二の面はそれぞれ粘着性に仕上げられていることを特徴とする、上記フレームに関する。この場合、第一の面が第一の接着テープを備えておりそして前記第二の面が第二の接着テープを備えている。前記フレームは第二の面を持つフレーム下部エレメントだけを有し、フレーム上部エレメントは省くことができる。
【図面の簡単な説明】
【０００９】
【図１ａ】本発明のフレームの一つの実施態様に従うフレーム上部エレメントの部分エレメントの切断面図；
【図１ｂ】本発明のフレームの一つの実施態様に従うフレーム下部エレメントの部分エレメントの切断面図；
【図１ｃ】ソーラーモジュールの組み立て形成後のソーラーエレメントと一緒にした第一の有利な実施態様に従うフレーム下部エレメント及びフレーム上部エレメントの切断面図；
【図２ａ】本発明のフレームの第二の実施態様に従うフレーム下部エレメントの部分エレメントの切断面図
【図２ｂ】本発明のフレームの第二の実施態様に従うフレーム下部エレメントの部分エレメントの切断面図
【図２ｃ】ソーラーモジュールの組み立て形成後のソーラーエレメントと一緒にした第二の有利な実施態様に従うフレーム下部エレメント及びフレーム上部エレメントの切断面図；
【図３ａ】本発明のフレームの第三の実施態様に従うフレーム上部エレメントの部分エレメントの切断面図
【図３ｂ】本発明のフレームの第三の実施態様に従うフレーム下部エレメントの部分エレメントの切断面図
【図３ｃ】ソーラーモジュールの組み立て形成後のソーラーエレメントと一緒にした第三の有利な実施態様に従うフレーム下部エレメント及びフレーム上部エレメントの切断面図；
【図４ａ】本発明のフレームの第四の実施態様に従うフレーム上部エレメントの部分エレメントの切断面図
【図４ｂ】本発明のフレームの第四の実施態様に従うフレーム下部エレメントの部分エレメントの切断面図
【図４ｃ】ソーラーモジュールの組み立て形成後のソーラーエレメントと一緒にした第四の有利な実施態様に従うフレーム下部エレメント及びフレーム上部エレメントの切断面図；
【図５】ソーラーモジュールの平面図。
【００１０】
第一及び第二の接着テープは有利には両面接着テープ、特に両面発泡体テープである。この場合、第一の面に備えられる両面接着テープ（第一の両面接着テープ）は第一の面と接触する内側接着剤層を有しており、他方、外側接着剤層はフレーム上部エレメントの第二の面に面している。第二の面に設けられた両面接着テープ（第二の両面接着テープ）も同様に第二の面に接する内側接着剤層を有しており、他方、外側接着剤層はフレーム下部エレメントの第一の面に面している。
【００１１】
第一と第二のフレームエレメントは互いに同じ材料でも異なる材料で構成されていてもよい。特に有利な一つの実施態様によればフレーム下部エレメントとフレーム上部エレメントとは耐候性材料、例えばアルミニウム又は他の適当な材料よりなる。
【００１２】
ソーラーエレメントとは太陽電池を含む積層体を意味する。ソーラーモジュールとはフレーム組み込みソーラーエレメント、要するにフレーム中に差し込まれているソーラーエレメントを意味している。
【００１３】
本発明のツーピースフレームは、板状ソーラーエレメントの縁部領域と接触している二つの面を作製することを可能とし、一方では密封することを可能としそしてもう一方では手で互いに貼り付けることを省いている。従ってこのことはソーラーモジュールに直接的に加工する、時間が掛かり、多大な費用を要しそして取扱難い貼り合わせ行程を完全に省くことを意味しており、フレーム中へのソーラーエレメントの取付が著しく簡素化される。両方の接着テープはソーラーモジュールを耐候性に密封することの他に、フレーム上部エレメントとフレーム下部エレメントとの間に一体化機能をもたらし、その際にソーラーエレメントによって接着的摩擦固定が生じる。さらに、両方のフレームエレメントは場合によっては嵌合固定又は摩擦固定連結によって相互連結することができる。組み立て操作は、生産工場内部での実際の通例の組み立ての他に、局所的な組み立てさえも考えられる程に、本発明のフレームによって簡略化される。この場合、最初にフレーム下部エレメントを目的地で固定しそしてその後にソーラーエレメント及びフレーム上部エレメントを以下に説明するように組み立てる。
【００１４】
両方のフレームエレメントはそれらの製造の間に既に接着テープを用いて準備されており、第一の面及び第二の面と接触していない第一及び第二の接着剤層の表面はそれぞれに被覆物を有している。これらの被覆物はソーラーモジュールの取り付けのときに初めて除かれる。
【００１５】
ソーラーモジュールを製造するために、最初に、フレーム下部エレメントの第一の面の上に存在している接着剤層から被覆物が除かれる。次いで板状ソーラーエレメントの下側を、フレーム下部エレメントの第一の面の上に存在する接着剤層の上に載せ、それによってフレーム下部エレメントとソーラーエレメントとの間の接合を生じさせる。次にフレーム上部エレメントは、フレーム上部エレメントの第二の面の上に存在しそして予めに被覆物が除かれている接着剤層を板状ソーラーエレメントの上側とそれの縁部領域で接触させるように板状ソーラーエレメントの上に載せる。この場合、フレーム上部エレメントとソーラーエレメントとの間に接合が生じる。
【００１６】
板状ソーラーエレメントをフレーム中に挿入したときに、板状ソーラーエレメントの下側がそれの縁部領域で第一の接着テープの接着剤層と接触しそしてソーラーモジュールの上側が第一の接着テープの接着剤層と接触しそしてソーラーモジュールの上側がそれの縁部領域で第二の接着テープの接着剤層と接触する。
【００１７】
好ましくはフレーム下部エレメントが板状ソーラーエレメントのための合端部を有しているのが有利であり、該合端部は第一の面から第二の面の方向に延びておりそして第一の面と第二の面との間に形成される空隙に下方で境をなしている。該合端部は第二の面の上にソーラーエレメントを正確に位置させることを可能とする。
【００１８】
さらに、フレーム下部エレメントはフレーム外側でかつ第一の面に対して直角に形成された陥凹部を有しそしてフレーム上部エレメントは、陥凹部に挿入されて嵌合固定又は摩擦固定連結をもたらす脚部を有していてもよい。この場合、脚部はフレーム上部エレメントの第二の面に対して直角に形成されておりそしてそこからフレーム下部エレメントの方向に延びている。このようにしてフレームの滑らかな外縁部が得られる。
【００１９】
フレーム下部エレメント並びにフレーム上部エレメントがそれぞれ部分エレメントで構成さえているのが有利であり、この場合各部分エレメントは連結要素によって互いに連結されているのが有利である。一般に板状ソーラーエレメントは長方形であるので、フレーム下部エレメントとフレーム上部エレメントとはそれぞれ４つの部分エレメントで構成されており、それぞれのフレームエレメントの隣接部分エレメントは互いに矩形に配置されている。部分エレメントは好ましくは、プロフィール中空スペースを持つプロフィールエレメントが有利である。隣接する部分エレメントを連結するためには連結エレメント、例えば中空スペース中に押し込む留めすることができる市販の角継手を備えている。従って、フレーム下部エレメントの第一の面の外形及びフレーム上部エレメントの第二の面の外形はソーラーエレメントの縁部領域に相応している。留め継ぎされそして所定の長さに切断されたプロフィールエレメントを予め製造しておくと、フレームの組み立てが非常に簡単に可能であるので有利である。さらに、ソーラーモジュールを建物や構造物で組み立てるために必要とされる様な穿孔を両方のフレームエレメントに予めに設けておく。粘着性仕上げ、特に両面接着テープの貼り付けは自動的方法で行うことができる。
【００２０】
水を排出するためにフレーム下部エレメントとフレーム上部エレメントとの間に排水溝を形成してもよい。排水溝の下側は、両面接着テープで覆われていないフレーム下部エレメントの第一の面の領域に形成される溝によって造られているのが有利であり、該溝はフレーム外側縁部の方向でそれから間隔がある。排水溝は実質的に２つの機能を有する。その一つは変動する温度のもとで構造物が色々に膨張するのを相殺しそしてもう一つは場合によっては侵入する湿気を搬出する。さらに、フレーム下部エレメント及び／又はフレーム上部エレメント中には排水穴を形成してもよい。
【００２１】
さらにソーラーモジュールを製造するために本発明に従うフレームを用いことも本発明の対象である。ソーラーモジュールは次のように組み立てる：すなわち、部分エレメントからフレーム下部エレメントを組み立てた後に、第一の接着テープの被覆物を除去しそしてソーラーエレメントを第一の面の上に上方から載せる。正確で再生可能な位置決めは、ソーラーエレメントを間違った位置でなくフレーム下部エレメントに貼り付けることを保証する合端部によって行うのが有利である。その後に、予めに組み合わされ完成したフレーム上部エレメントを、ソーラーエレメントを備えたフレーム下部エレメントの上に上方から押し付ける。予めに第二の接着テープの被覆物をここでも除いておく。
【００２２】
本発明を図面によってさらに詳細に以下で説明する。各図は以下を意味する：
図 1a本発明のフレームの一つの実施態様に従うフレーム上部エレメントの部分エレメントの切断面図；
図 1b本発明のフレームの一つの実施態様に従うフレーム下部エレメントの部分エレメントの切断面図；
図 1cソーラーモジュールの組み立て形成後のソーラーエレメントと一緒にした第一の有利な実施態様に従うフレーム下部エレメント及びフレーム上部エレメントの切断面図；
図 2a本発明のフレームの第二の実施態様に従うフレーム下部エレメントの部分エレメントの切断面図
図 2b本発明のフレームの第二の実施態様に従うフレーム下部エレメントの部分エレメントの切断面図
図 2cソーラーモジュールの組み立て形成後のソーラーエレメントと一緒にした第二の有利な実施態様に従うフレーム下部エレメント及びフレーム上部エレメントの切断面図；
図 3a本発明のフレームの第三の実施態様に従うフレーム上部エレメントの部分エレメントの切断面図
図 3b本発明のフレームの第三の実施態様に従うフレーム下部エレメントの部分エレメントの切断面図
図 3cソーラーモジュールの組み立て形成後のソーラーエレメントと一緒にした第三の有利な実施態様に従うフレーム下部エレメント及びフレーム上部エレメントの切断面図；
図 4a本発明のフレームの第四の実施態様に従うフレーム上部エレメントの部分エレメントの切断面図
図 4b本発明のフレームの第四の実施態様に従うフレーム下部エレメントの部分エレメントの切断面図
図 4cソーラーモジュールの組み立て形成後のソーラーエレメントと一緒にした第四の有利な実施態様に従うフレーム下部エレメント及びフレーム上部エレメントの切断面図；
図 5 ソーラーモジュールの平面図。
【００２３】
図１ａは本発明のフレームの一つの実施態様のフレーム上部エレメント（１１）を図示している。該フレーム上部エレメント（１１）は角張った形状の切断面を有しており、第一の脚部（１２）の下側に、接着テープ（１３）を備えている第二の面（１４）が形成されている。第一の脚部（１２）の端面で終端となる第二の脚部（１５）が第一の脚部（１２）に対して直角をなしている。フレームを組合せた後に、第二の脚部（１５）はフレーム下部エレメント（２１）の外側（２２）に載せられている。
【００２４】
フレーム下部エレメント（２１）（図１ｂ）は、接着テープ（２３）が設けられている第一の面（２４）を有している。さらに、フレーム上部エレメント（２１）は、沢山のフレーム下部エレメント（２１）を互いに連結するために角継手（図示していない）が嵌合固定のやり方で挿入されている中空部（２５）を有している。
【００２５】
図１ｃには板状ソーラーエレメント（３１）が装着されたフレームが図示されている。ソーラーエレメント（３１）の下側がその縁部領域で、フレーム下部エレメント（２１）の第一の面（２４）の上に在る接着テープ（２３）の上に置かれており、それによってソーラーモジュール（３１）の下側がフレーム下部エレメント（２１）に貼り付けられている。フレーム上部エレメント（１１）は第二の面（１４）の上に在る接着テープ（１３）を介してソーラモジュール（３１）の上側とその縁部領域で貼り付けられており、その結果フレーム上部エレメントの第二の脚部（１５）がフレーム下部エレメント（２１）の外側（２２）に載っている。
【００２６】
図２ａ〜２ｃにおいては、第一の実施態様に極めて類似する本発明のフレームの第二の実施態様を図示している。追加的にフレーム下部エレメント（２１）の外側（２２）の上部領域において第一の面（２４）の終端となる陥凹部（２６）がある。この陥凹部（２６）は、フレーム上部エレメントの第二の脚部（１５）を受け入れることができるような寸法である。このようにしてフレームの外側端部で段がなくされる。その他の関連記載は図１ａ〜１ｃにおけるのと同じ意味を有している。フレーム下部エレメント（２１）が第一の面（２４）に対して直角に形成された陥凹部（２６）を有することによって、嵌合固定又は摩擦固定連結（positive-locking and/or friction-locking connection）が達成される。この摩擦固定連結は、フレームエレメント（２１）に陥凹部（２６）の代わりに脚部（１５）上のビーズ様領域が係合、係止（engages, locks）又はスナップ留め（snaps）する溝が形成されている場合に例えばスナップタイプ又はロッキングタイプの連結によって得ることができる。この場合、脚部は弾力性があるようにするべきである。
【００２７】
図３ａ〜３ｃに図示する本発明のフレームの第三の実施態様の場合には、第二の実施態様（図２ａ〜２ｃ）の特徴に加えて腹板（２７）がフレーム下部エレメント（２１）に設けられており、このものはフレーム下部エレメント（２１）の第一の面（２４）から第二の面（１４）の方向に伸びておりそして第一の面（２４）と第二の面（１４）との間に形成される隙間の外方向の境界をなしている。腹板（２７）は板状ソーラーエレメント（３１）のための合端部を形成している。腹板（２７）の外側及びフレーム下部エレメントの外側（２２）とは陥凹（２６）の領域において一つの平面にある。その他の関連記載は図２ａ〜２ｃにおけるのと同じ意味を有している。
【００２８】
図４ａ〜４ｃには本発明のフレームの第四の実施態様が図示されており、この場合には（既に説明した３つの実施態様におけるのと同様に）フレーム下部エレメント（２１）と中空プラフィールとしてのフレーム上部エレメントとが形成されている。これは、複数のフレーム下部エレメント（１１）の連結をフレーム上部エレメントの中空スペース（１６）中に差し込まれる押し込み留め角継手（図示してない）によって可能となる。中空スペース（１６）は、第二の脚部（１５）に平行に走りそして第二の脚部（１５）から第二の面（１４）の方向に間隔を開けるように腹板（１７）を形成することによって得られる。第二の脚部（１５）より短い腹板（１７）は第一の脚部（１２）の下側で始まってそして第一の脚部（１２）に平行に走る別の腹板（１８）中に取り付けられているが、該腹板（１８）よりも短い。別の腹板は脚部（１５）の内側から始まって脚部（１７）で終わっている。
【００２９】
最初に説明した３つの実施態様と相違して、フレーム下部エレメント（２１）の陥凹部（２６）は、腹板（１８）の下側の下方に存在する、第二の脚部（１５）の一部だけに対応するような寸法である。フレーム下部エレメント（２１）は更に陥凹部（２９）を有しており、該陥凹部（２９）は、第一の面（２４）から離れて腹板（２７）の側に形成される面（２４’）によって下方の境をなしている。面（２４）及び面（２４’）は一つの面にあるのが有利である。腹板（２７）からフレームの外側方向への面（２４’）の延びは、この場合、フレーム上部エレメント（１１）の腹板（１８）の長さに相応している。フレーム上部エレメントの腹板（１７）の長さは腹板（２７）の長さより短いか同じであり、その結果陥凹部（２９）が開口部（１８）で境をなすフレーム上部エレメントの端部によって埋められる。腹板（２７）は腹板（１４）の面と接触するべきでない。空隙（４０）によってもたらされる間隙は脚部（１５）の長さによって決められ、その際に腹板（２８’）及び（１７’）の間に空隙も形成することができる（図４ｃ）。腹板（２７）の外側はフレーム下部エレメントの内壁（２８）と一直線に形成されている。領域（Ａ）には排水溝が形成されていてもよい。領域（Ｂ）には排水穴が設けられていてもよい。その他の関連記載は図３ａ〜３ｃにおけるのと同じ意味を有している。
【００３０】
図５には本発明のフレームを持つソーラーモジュールの平面図を図示している。フレーム上部エレメントが４つの部分エレメント（１１ａ、１１ｂ、１１ｃ、１１ｄ）で構成されていることがわかる。フレーム下部エレメントも同様に４つの部分エレメント（図示してない）で構成されている。
【符号の説明】
【００３１】
11               フレーム上部エレメント
11a, 11b, 11c, 11d     フレーム上部エレメントの部分エレメント
12               フレーム上部エレメントの脚部
13               第二接着テープ
14               フレーム上部エレメントの第二の面
15               フレーム上部エレメントの第二の部分
16               フレーム上部エレメント中の中空スペース
17               垂直腹板
18               水平腹板
21               フレーム下部エレメント
22               フレーム下部エレメントの外側
23               第二の接着テープ
24               フレーム下部エレメントの第一の面
24’             面２４と同一平面にある面
25               フレーム下部エレメント中の中空スペース
26               フレーム下部エレメントの外側陥凹部
27               ソーラーエレメント３１のための合端部としての腹板
28               内壁
29               面２４’の上側陥凹部
31         ソーラーエレメント
【図１ａ】
2010016385.tif 000003
【図１ｂ】
2010016385.tif 000004
【図１ｃ】
2010016385.tif 000005
【図２ａ】
2010016385.tif 000006
【図２ｂ】
2010016385.tif 000007
【図２ｃ】
2010016385.tif 000008
【図３ａ】
2010016385.tif 000009
【図３ｂ】
2010016385.tif 000010
【図３ｃ】
2010016385.tif 000011
【図４ａ】
2010016385.tif 000012
【図４ｂ】
2010016385.tif 000013
【図４ｃ】
2010016385.tif 000014
【図５】
2010016385.tif 000015